(57)【特許請求の範囲】
【請求項１】
競馬開催日に預金の引出・振込ができない契約がなされた金融機関の指定口座であるロック口座に投票資金を予め預金して勝馬投票が行える会員制の加入者が操作を行うＷｅｂブラウザを有するパソコン、インターネット対応の各社携帯電話の各会員の端末からそれぞれ対応するインターネットの電話回線を経由して、それぞれに対応し応答サブシステムに接続して勝馬投票申込を行うアクセス信号に応答して、複数の競馬場内外の現金投票所の発信端末からの通信回線を経由して送信される投票データを集計する計算センタと開催案内／出馬表／オッズ情報を蓄積する情報センタよりなる総合センタと交信し、前記勝馬投票受付とその結果或はその投票内容照会結果を前記応答サブシステムから前記インターネットを介して前記会員端末へ送信する複数の応答サブシステムからなる電話回線経由投票システムにおいて、
前記電話回線経由投票システムは、会員の操作するパソコン端末、非会員の操作するパソコン端末からインターネットを経由して入力するアクセス信号を受信するパソコン応答サブシステムと、会員の操作する携帯電話、非会員の操作する携帯電話からその携帯電話対応各社のインターネット通信網を経由して入力するアクセス信号を受信する各社携帯電話応答サブシステムと、それら応答サブシステムからの入力データにより非会員を一時的な会員へ登録し、或はカードの確認・決済処理を行い、それらの結果データを応答サブシステムへ出力するカード決裁サブシステムと、応答サブシステムとカード決裁サブシステムを中継する中継サーバと、総合運用監視装置とから構成し、
前記応答サブシステムは、会員及び非会員端末からのアクセス信号に応答するファイアウォール、Ｗｅｂサーバ、投票・情報照会応答コンピュータからなり、
前記投票・情報照会応答コンピュータは、会員の操作する端末からのアクセス信号に応答して、所定の投票・情報照会応答処理を総合センタと交信して行なう投票・情報照会応答手段と、非会員の操作する端末からのアクセス信号に応答し、その非会員が一時的会員に加入しているか否かを判定し一時的会員でなければカード決済サブシステムに対して一時的加入者管理ファイルを作成させ、その非会員を一時的会員に登録し、その登録結果を受けそのデータを投票システムへのアクセス用一時的会員ＩＤコード、パスワードを作成し、非会員端末へ送信する一時的会員登録処理／返信手段と、一時的会員がその非会員端末からインターネットを介して投票を行うに際し、投票に関するデータとカード情報データをカード決済サブシステムへ送り、本人認証と利用限度額の確認をさせ、一時加入者管理ファイルを更新させ、総合センタと交信してカードによる入金により会員と同様な投票処理を行う一時的会員投票処理手段と、一時的会員が勝馬に的中した場合には、一時的加入者管理ファイルの的中金額を更新させて、次回投票の際に、その的中金額から投票可能とする的中金額処理手段とを備え、
前記カード決済サブシステムは、ファイアウォールと、Ｗｅｂサーバと、決済コンピュータから構成され、
前記決済コンピュータは、投票・情報応答コンピュータから非会員を一時的会員に登録するデータが入力されれば、一時的加入者管理ファイルを作成し、その結果を応答コンピュータへ出力する一時会員登録手段と、応答コンピュータからカードＩＤコード、暗証番号、名前を入力すればインターネットを介してカードシステムセンタへ接続し、本人認証と利用限度額を確認すると共に一時加入者管理ファイルのデータを更新し、その結果を応答コンピュータへ中継サーバを介して返信するカード利用額確認手段とを備えることを特徴とするキャッシュレス・カード決済の非会員対応電話回線経由投票システム。
【発明の詳細な説明】
【０００１】
【発明の属する技術分野】
本発明は競馬開催日に預金の引出・振込ができない契約がなされた金融機関の指定口座であるロック口座に投票資金を予め預金して勝馬投票が行える会員制の加入者が操作を行うＷｅｂブラウザを有するパソコン、インターネット対応の各社携帯電話の各会員端末からそれぞれ対応するインターネットを経由して勝馬投票を行うシステムにおいて、非会員であってもデビットカード或はクレジットカードのキャッシュレスカードを持っていれば、前記投票システムへ非会員の操作するＷｅｂブラウザを有するパソコン、インターネット対応の各種携帯電話の各会員端末からそれぞれ対応するインターネット回線を経由して勝馬投票を行うシステムであって、前記会員制に加入していない非会員が、前記パソコン又は前記携帯電話からインターネットを介して会員制の投票システムに接続し、前記ロック口座がなくともカードにより会員と同様な電話回線経由投票をその非会員が行える投票システムに関する。
【０００２】
【従来の技術】
電話回線による従来の通常の投票システムを図５に基づいて述べる。前述のような競馬開催日に預金の引出・振込ができないロック口座に投票資金を予め預金してインターネット２１、２２を介して勝馬投票が行える会員制の投票システム１００を図５の中段に一実施例として示してある。
【０００３】
この電話回線経由投票システム１００は２つのサブシステム１０１、１０２からなる。１０１は会員のＷｅｂブラウザ付パソコン３１，３１からインターネット２１を介するアクセス信号に応答するパソコン応答システムであり、そのサブシステム１０１はファイアウォール１０１ａ、Ｗｅｂサーバ１０１ｂ、投票・情報照会応答コンピュータ１０１ｃからなる。
【０００４】
１０２は会員のインターネット対応携帯電話３２，３２からそれら各社インターネット対応携帯電話網２２を介するアクセス信号に応答する各社携帯電話応答サブシスであり、そのサブシステム１０２はファイアウォール１０２ａ、Ｗｅｂサーバ１０２ｂ、投票・情報照会応答コンピュータ１０２ｃからなる。さらに、それらを総合する運用監視装置１０５を備える。
【０００５】
これらの応答サブシステム１０１、１０２は図５に示すように総ての競馬場内外発信端末６０から（電話回線経由投票データも含まれる）その投票データを収集する計算センタ及びその開催案内／出馬表／オッズ情報を蓄積した情報センタからなる総合センタ９０と、そのバックアップセンタ５０に専用回線で接続し、投票データ申込処理又は各種情報照会処理を行い、その結果を各会員端末へ返信していた。
【０００６】
これらのサブシステム１０１、１０２からなる投票システム１００はそれぞれ各種の障害に対応してシステムダウンとならないように２系統或いは冗長構成としたり、さらにファイアウォールを複数段備えて、開催日当日の稼動中の高い信頼性が確実に維持されるようにして、投票システム１００は勝馬投票受付とその結果処理を行っていた。
【０００７】
しかしながら、その投票システム１００には以下のような問題点があった、すなわち、専用の銀行口座開設手続き（ロック口座の開設）は会員となりたい加入者、および、本システム運営側の双方にとって煩雑な作業であり、しかも、事務手続に少なからず時間がかかっていた。このため会員加入申込みを行なっても、すぐに利用できない問題があった。また、会員加入が面倒なために、電話投票の利用を断念するファンが多かった。さらに、競馬施設に足を運部時間のない多くの競馬ファンに勝馬投票の機会を提供することができない問題があった。
【０００８】
【発明が解決しようとする課題】
本発明は前述した点に鑑みてなされたものであり、その目的とするところは、電話回線経由投票システムは従来ではロック口座を持つ会員だけが利用できるようになっていたが、その投票システムにカード決済サブシステムを設けて、非会員であっても、デビットカード或はクレジットカードのキャッシュレスカードを持っていれば、その投票システムに非会員端末をインターネットを介して接続し、一時的会員に登録することにより、従来の会員と同様に、キャッシュレス・カードのみで勝馬投票を行う手段を備える非会員対応の電話回線経由投票システムを提供することである。
【０００９】
【課題を解決するための手段】
前記課題を解決するため、本発明のキャッシュレス・カード決済の非会員対応電話回線経由投票システムは、競馬開催日に預金の引出・振込ができない契約がなされた金融機関の指定口座であるロック口座に投票資金を予め預金して勝馬投票が行える会員制の加入者が操作を行うＷｅｂブラウザを有するパソコン、インターネット対応の各社携帯電話の各会員の端末からそれぞれ対応するインターネットの電話回線を経由して、それぞれに対応し応答サブシステムに接続して勝馬投票申込を行うアクセス信号に応答して、複数の競馬場内外の現金投票所の発信端末からの通信回線を経由して送信される投票データを集計する計算センタと開催案内／出馬表／オッズ情報を蓄積する情報センタよりなる総合センタと交信し、前記勝馬投票受付とその結果或はその投票内容照会結果を前記応答サブシステムから前記インターネットを介して前記会員端末へ送信する複数の応答サブシステムからなる電話回線経由投票システムにおいて、
前記電話回線経由投票システムは、会員の操作するパソコン端末、非会員の操作するパソコン端末からインターネットを経由して入力するアクセス信号を受信するパソコン応答サブシステムと、会員の操作する携帯電話、非会員の操作する携帯電話からその携帯電話対応各社のインターネット通信網を経由して入力するアクセス信号を受信する各社携帯電話応答サブシステムと、それら応答サブシステムからの入力データにより非会員を一時的な会員へ登録し、或はカードの確認・決済処理を行い、それらの結果データを応答サブシステムへ出力するカード決裁サブシステムと、応答サブシステムとカード決裁サブシステムを中継する中継サーバと、総合運用監視装置とから構成し、
前記応答サブシステムは、会員及び非会員端末からのアクセス信号に応答するファイアウォール、Ｗｅｂサーバ、投票・情報照会応答コンピュータからなり、
前記投票・情報照会応答コンピュータは、会員の操作する端末からのアクセス信号に応答して、所定の投票・情報照会応答処理を総合センタと交信して行なう投票・情報照会応答手段と、非会員の操作する端末からのアクセス信号に応答し、その非会員が一時的会員に加入しているか否かを判定し一時的会員でなければカード決済サブシステムに対して一時的加入者管理ファイルを作成させ、その非会員を一時的会員に登録し、その登録結果を受けそのデータを投票システムへのアクセス用一時的会員ＩＤコード、パスワードを作成し、非会員端末へ送信する一時的会員登録処理／返信手段と、一時的会員がその非会員端末からインターネットを介して投票を行うに際し、投票に関するデータとカード情報データをカード決済サブシステムへ送り、本人認証と利用限度額の確認をさせ、一時加入者管理ファイルを更新させ、総合センタと交信してカードによる入金により会員と同様な投票処理を行う一時的会員投票処理手段と、一時的会員が勝馬に的中した場合には、一時的加入者管理ファイルの的中金額を更新させて、次回投票の際に、その的中金額から投票可能とする的中金額処理手段とを備え、
前記カード決済サブシステムは、ファイアウォールと、Ｗｅｂサーバと、決済コンピュータから構成され、
前記決済コンピュータは、は、投票・情報応答コンピュータから非会員を一時的会員に登録するデータが入力されれば、一時的加入者管理ファイルを作成し、その結果を応答コンピュータへ出力する一時会員登録手段と、応答コンピュータからカードＩＤコード、暗証番号、名前を入力すればインターネットを介してカードシステムセンタへ接続し、本人認証と利用限度額を確認すると共に一時加入者管理ファイルのデータを更新し、その結果を応答コンピュータへ中継サーバを介して返信するカード利用額確認手段とを備えることを特徴とする。
【００１１】
【発明の実施の形態】
本発明の実施の形態の以下図に基づいて説明する。図１は本発明のキャッシュレス・カード決済の非会員対応電話回線経由投票システムの一実施例の構成を示す説明図である。
図１において、１０はその非会員対応の電話回線経由投票システム、３１は会員のＷｅｂブラウザ付パソコン、８１は非会員のＷｅｂブラウザ付パソコン、３２は会員のインターネット対応各携帯電話、８２は非会員のインターネット対応各携帯電話、９０はカード発行主体のカードシステムセンタ。２１はインターネット、２２はインターネット対応各社携帯電話のインターネット通信回線網を示す。
【００１２】
また、４０は集計した投票データの計算センタ及び情報センタからなる総合センタ、５０はそのバックアップセンタ、６０は競馬場内外発信端末群を示す。
【００１３】
電話回線経由投票システム１０は、会員の操作するパソコン端末３１、非会員の操作するパソコン端末８１からインターネット２１を経由して入力するアクセス信号を受信するパソコン応答サブシステム１１と、会員の操作する携帯電話３２、非会員の操作する携帯電話８２からその携帯電話対応各社のインターネット通信網２２を経由して入力するアクセス信号を受信する各社携帯電話応答サブシステム１２と、それら応答サブシステム１１、１２からの入力データにより非会員を一時的な会員へ登録し、或はカードの確認・決済処理を行い、それらの結果データを応答サブシステム１１、１２へ出力するカード決裁サブシステム１９と、サブシステム１１，１２とサブシステム１９を中継する中継サーバ１８と、総合運用監視装置１５とから構成される。
【００１４】
次に、応答サブシステム１１、１２はそれぞれファイアウォール１１ａ、１２ａ、Ｗｅｂサーバ１１ｂ、１２ｂ、投票・情報照会応答コンピュータ１１ｃ、１２ｃからなり、会員及び非会員端末３１、３２、８１、８２からのアクセス信号に応答する。
【００１５】
その投票・情報照会応答コンピュータ１１ｃ、１２ｃは、それぞれ以下に述べる各手段１１ｗ、１１ｘ、１１ｙ、１１ｚ、１２ｗ、１２ｘ、１２ｙ、１２ｚを備える。
【００１６】
ここで、投票・情報照会応答手段１１ｗ、１２ｗは、会員の操作する端末３１，３２からのアクセス信号に応答して、所定の投票・情報照会応答処理を総合センタ４０と交信して行なう手段である。
【００１７】
一時的会員登録処理／返信手段１１ｘ、１２ｘは、非会員の操作する端末８１，８２からのアクセス信号に応答し、その非会員が一時的会員に加入しているか否かを判定し一時的会員でなければカード決済サブシステム１９に対して一時的加入者管理ファイル１９ｚを作成させ、その非会員を一時的会員に登録し、その登録結果を受けそのデータを投票システム１０へのアクセス用一時的会員ＩＤコード、パスワードを作成し、非会員端末８１，８２へ送信する手段である。
【００１８】
一時的会員投票処理手段１１ｙ、１２ｙは、一時的会員がその非会員端末８１，８２からインターネット２１、２２を介して投票を行うに際し、投票に関するデータとカード情報データをカード決済サブシステム１９へ送り、本人認証と利用限度額の確認をさせ、一時加入者管理ファイル１９ｚを更新させ、総合センタ４０と交信してカードによる入金により会員と同様な投票処理を行う手段である。
【００１９】
的中金額処理手段１１ｚ、１２ｚは、一時的会員が勝馬に命中した場合には、一時的加入者管理ファイル１９ｚの的中金額を更新させて、次回投票の際に、その的中金額から投票可能とする手段である。
【００２０】
カード決済サブシステム１９は、ファイアウォール１９ａ、Ｗｅｂサーバ１９ｂ、決済コンピュータ１９ｃを少なくとも備える。
【００２１】
前記決済コンピュータ１９ｃは、一時会員登録手段１９ｘと、カード利用額確認手段１９ｙを備える。
【００２２】
一時会員登録手段１９ｘは、投票・情報応答コンピュータ１１ｃ、１２ｃから非会員を一時的会員に登録するデータが入力されれば、一時的加入者管理ファイル１９ｚを作成し、その結果を応答コンピュータ１１ｃ、１２ｃへ出力する手段である。
【００２３】
カード利用額確認手段１９ｙは、応答コンピュータ１１ｃ、１２ｃからカードＩＤコード、暗証番号、名前を入力すればインターネット２１を介してカードシステムセンタ９０へ接続し、本人認証と利用限度額を確認すると共に一時加入者管理ファイル１９ｚのデータを更新し、その結果を応答コンピュータ１１ｃ、１２ｃへ中継サーバ１８を介して返信する手段である。
【００２４】
次に、キャッシュレス・カード決済の非会員対応電話回線経由投票ステム１０の動作の流れを図２、図３に基づいて説明する。
【００２５】
図２のＳ２２は会員が端末３１、３２を操作した場合のアクセス信号に対する投票・情報照会応答手段１１ｗ、１２ｗの動作を示す。
【００２６】
Ｓ２３は非会員が端末８１、８２を操作した場合のアクセス信号に対する一時的会員登録処理／返信手段１１ｘ、１２ｘの動作の前半を示す。
【００２７】
Ｓ２４はＳ２３の入力を受けたカード決済サブシステム１９の一時会員登録手段１９ｘの動作を示し、Ｓ２５は応答コンピュータ１１ｃ、１２ｃの一時的会員登録処理／返信手段１１ｘ、１２ｘの動作の後半を示す。
【００２８】
Ｓ２６は一時的会員が端末８１、８２から操作して投票する場合のアクセス信号に対する一時的会員投票処理手段１１ｙ、１２ｙの動作の前半を示す。
【００２９】
図３のＳ３１、Ｓ３２は決済コンピュータ１９ｃのカード利用額確認手段１９ｙの動作を示し、Ｓ３３は一時的会員投票処理手段１１ｙ、１２ｙの動作の後半を示す。
【００３０】
Ｓ３４は、応答コンピュータ１１ｃ、１２ｃの的中金処理手段１１ｚ、１２ｚの動作を示す。
【００３１】
図４は、図１の実施の形態において、非会員すなわち一時的会員の端末８１、８２の画面イメージの一実施例を示す。
【００３２】
すなわち、一時的会員の場合は、ロック口座は勿論なく、デビットカード、クレジットカードのキャッシュレス・カードと勝馬による的中金額（レース終了後に加金し、次回レースから使用可能）とのいずれの投票資金からでも投票に使用できるように、図４に示す画面イメージに表示される。そのため、３種類の投票処理ボタンが選択指定できるように表示される。
【００３３】
尚、図４の表示においては、さらにキャッシュレスカードをデビットカードとクレジットカードに区別して投票できるようにしてもよい。
【００３４】
尚、本発明の実施に当たって、競馬法に定める投票行為の制限規定に該当するものは利用できない旨の告知及び確認を行なうことは言うまでもない。例えば、登録画面で学生・未成年者の利用制限を告知する他に、一時的加入者管理ファイルには銀行口座番号と、口座名義人氏名が登録されるが、さらに、本人の生年月日、自宅電話番号などの本人確認情報を登録必須条件とすることが望ましい。
【００３５】
【発明の効果】
本発明のキャッシュレス・カード決済の非会員対応電話回線経由投票システムは以下に示す効果を奏する。
【００３６】
すなわち、従来の電話回線経由投票システムではロック口座を持つ会員だけが利用できるようになっていたが、その投票システムにデビットカード、クレジットカードに関するカード決済サブシステムを設けて、非会員であっても、インターネットを介して一時的会員として登録すれば、それらのキャッシュレス・カードにより投票することができる。このため、電話回線経由投票の会員申込み中の利用者がロック口座を契約して正式な会員となる待ち期間であっても勝馬投票を開始できる。また、競馬場施設に来場できないファンが、自宅から一時的会員となり、勝馬投票を行うことができる。
【図面の簡単な説明】
【図１】本発明の電話回線経由投票システムの実施の形態の説明図である。
【図２】本発明の電話回線経由投票システムの動作の流れ図（１）である。
【図３】本発明の電話回線経由投票システムの動作の流れ図（２）である。
【図４】本発明の非会員（一時的会員）の紹介／投票図面イメージ図である。
【図５】従来の電話回線経由投票システムの説明図である。
【符号の説明】
１０    電話回線経由投票システム
１１    パソコン応答サブシステム
１２    各社携帯電話応答サブシステム
１１ａ、１２ａ  ファイアウォール
１１ｂ、１２ｂ  Ｗｅｂサーバ
１１ｃ、１２ｃ  投票・情報照会コンピュータ
１１ｗ、１２ｗ  投票・情報照会応答手段
１１ｘ、１２ｘ  一時的会員登録処理手段
１１ｙ，１２ｙ  一時的会員投票処理手段
１１ｚ，１２ｚ  的中金処理手段
１５    総合運用監視装置
１８    中継サーバ
１９    カード決済サブシステム
１９ａ  ファイアウォール
１９ｂ  Ｗｅｂサーバ
１９ｃ  決済コンピュータ
１９ｄ  データベース
１９ｘ  一時的会員登録手段
１９ｙ  カード利用額確認手段
１９ｚ  一時的加入者管理ファイル
２１    インターネット
２２    インターネット対応各社携帯電話網
３１    会員のＷｅｂブラウザ付パソコン
３２    会員のインターネット対応各社携帯電話
４０    総合センタ
５０    バックアップセンタ
６０    競馬内外発信端末群
８１    非会員のＷｅｂブラウザ付パソコン
８２    非会員のインターネット対応各社携帯電話
９０    カードシステムセンタ
【図１】
0003643888.tif 000002
【図２】
0003643888.tif 000003
【図３】
0003643888.tif 000004
【図４】
0003643888.tif 000005
【図５】
0003643888.tif 000006